(57)【要約】【課題】  環境温度の変化による焦点位置のずれを抑制し、解像度の劣化を防止できるとともに、小型化、低コスト化を達成する撮像レンズを提供する。【解決手段】  物体側から順に、物体側に凸面を向けた正の屈折力を有するメニスカス形状の第１のレンズＬ１と、開口絞りＳと、像側に凸面を向けた負の屈折力を有するメニスカス形状の第２のレンズＬ２と、正の屈折力を有する第３のレンズＬ３とを有し、第２のレンズＬ２の物体側及び像側の曲率半径と開口絞りＳまでの距離が略等しくされる。【選択図】  図１
2005352317.tif 000002
【特許請求の範囲】
【請求項１】
物体側から順に、物体側に凸面を向けた正の屈折力を有するメニスカス形状の第１のレンズと、開口絞りと、像側に凸面を向けた負の屈折力を有するメニスカス形状の第２のレンズと、正の屈折力を有する第３のレンズとを有し、
上記第１乃至第３のレンズは、レンズ面が非球面に形成され、
以下の条件式（１）〜（３）を満足することを特徴とする撮像レンズ。
１．２＜Ｔ／ｆ＜１．７  ・・・（１）
０．９×Ｔｓ２＜｜Ｒ３｜＜１．２×Ｔｓ２  ・・・（２）
０．６５×（Ｔｓ２＋Ｔ２）＜｜Ｒ４｜＜１．１×（Ｔｓ２＋Ｔ２）  ・・・（３）
ただし、
ｆ：レンズ系全体の焦点距離、
Ｔ：第１のレンズの物体側頂点から像面までの距離、
Ｔｓ２：開口絞りから第２のレンズの入射側軸上頂点までの距離、
Ｔ２：第２のレンズの軸上厚み、
Ｒ３：第２のレンズの入射側の面の曲率半径、
Ｒ４：第２のレンズの像側の面の曲率半径
である。
【請求項２】
上記第２のレンズ及び上記第３のレンズは、プラスティックレンズからなり、以下の条件式（４）、（５）を満足することを特徴とする請求項１記載の撮像レンズ。
２５＜νｄ２＜３５  ・・・（４）
４５＜νｄ３  ・・・（５）
ただし、
νｄ２：第２のレンズのアッベ数、
νｄ３：第３のレンズのアッベ数
である。
【請求項３】
さらに、以下の条件式（６）〜（８）を満足することを特徴とする請求項２記載の撮像レンズ。
０．８＜ｆ１／ｆ＜１．２  ・・・（６）
１．２＜｜ｆ２／ｆ｜＜１．７  ・・・（７）
０．６＜ｆ３／ｆ＜１．６  ・・・（８）
ただし、
ｆ１：第１のレンズの焦点距離、
ｆ２：第２のレンズの焦点距離、
ｆ３：第３のレンズの焦点距離
である。
【請求項４】
物体側から順に、物体側に凸面を向けた正の屈折力を有するメニスカス形状の第１のレンズと、開口絞りと、像側に凸面を向けた負の屈折力を有するメニスカス形状の第２のレンズと、正の屈折力を有する第３のレンズとを有する撮像レンズと、
上記撮像レンズにより形成された光学像を電気的な信号に変換する撮像素子とを備え、
上記第１乃至第３のレンズは、レンズ面が非球面に形成され、
以下の条件式（９）〜（１１）を満足することを特徴とする撮像装置。
１．２＜Ｔ／ｆ＜１．７  ・・・（９）
０．９×Ｔｓ２＜｜Ｒ３｜＜１．２×Ｔｓ２  ・・・（１０）
０．６５×（Ｔｓ２＋Ｔ２）＜｜Ｒ４｜＜１．１×（Ｔｓ２＋Ｔ２）  ・・・（１１）
ただし、
ｆ：レンズ系全体の焦点距離、
Ｔ：第１のレンズの物体側頂点から像面までの距離、
Ｔｓ２：開口絞りから第２のレンズの入射側軸上頂点までの距離、
Ｔ２：第２のレンズの軸上厚み、
Ｒ３：第２のレンズの入射側の面の曲率半径、
Ｒ４：第２のレンズの像側の面の曲率半径
である。
【発明の詳細な説明】
【技術分野】
【０００１】
本発明は、撮像に用いる撮像レンズ、この撮像レンズを用いた撮像装置に関する。
【背景技術】
【０００２】
携帯型の無線電話装置やＰＤＡ（Ｐｅｒｓｏｎａｌ  Ｄｉｇｉｔａｌ  Ａｓｓｉｓｔａｎｔ）等の薄型で小型の機器には、撮像装置が備えられたものがある。この薄型で小型の機器には、撮像装置が備えられたものがある。この薄型で小型の機器に取り付けられる撮像装置は、小型の撮像レンズと小型のＣＣＤ（Ｃｈａｒｇｅ−Ｃｏｕｐｌｅｄ  Ｄｅｖｉｃｅ）やＣＭＯＳ（Ｃｏｍｐｌｅｍｅｎｔａｒｙ  Ｍｅｎｔａｌ−Ｏｘｉｄｅ  Ｓｅｍｉｃｏｎｄｕｃｔｏｒ  ｄｅｖｉｃｅ）等の撮像素子とを有することで小型化されており、機器全体の小型化が図られている。
【０００３】
上述した撮像装置に用いられる撮像レンズは、小型化、低コスト化の要求があり、例えば、特開平１１−５２２２７号公報で開示されているように、３枚構成の撮像レンズ等がある（特許文献１参照）。
【０００４】
しかしながら、特開平１１−５２２２７号公報で開示されている撮像レンズは、少ない構成枚数で小型化、低コスト化を図るため、全系の距離を短くするため、各レンズの曲率が大きくなり、環境温度の変化により、焦点位置のズレが発生し、この焦点位置のズレに起因して解像度が劣化することが問題となっていた。
【０００５】
また、環境温度の変化を考慮した撮像レンズは、４枚以上のレンズから構成されており、構成が大型となったり、高価な撮像レンズとなっていた。
【０００６】
【特許文献１】特開平１１−５２２２７号公報
【発明の開示】
【発明が解決しようとする課題】
【０００７】
本発明の目的は、環境温度の変化による焦点位置のずれを抑制し、解像度の劣化を防止できるとともに、小型化、低コスト化を達成する撮像レンズ及び撮像装置を提供することを目的とする。
【課題を解決するための手段】
【０００８】
この目的を達成するため、本発明に係る撮像レンズは、物体側から順に、物体側に凸面を向けた正の屈折力を有するメニスカス形状の第１のレンズと、開口絞りと、像側に凸面を向けた負の屈折力を有するメニスカス形状の第２のレンズと、正の屈折力を有する第３のレンズとを有し、第１乃至第３のレンズは、レンズ面が非球面に形成され、以下の条件式（１）〜（３）を満足することを特徴とする。
１．２＜Ｔ／ｆ＜１．７  ・・・（１）
０．９×Ｔｓ２＜｜Ｒ３｜＜１．２×Ｔｓ２  ・・・（２）
０．６５×（Ｔｓ２＋Ｔ２）＜｜Ｒ４｜＜１．１×（Ｔｓ２＋Ｔ２）  ・・・（３）
ただし、
ｆ：レンズ系全体の焦点距離、
Ｔ：第１のレンズの物体側頂点から像面までの距離、
Ｔｓ２：開口絞りから第２のレンズの入射側軸上頂点までの距離、
Ｔ２：第２のレンズの軸上厚み、
Ｒ３：第２のレンズの入射側の面の曲率半径、
Ｒ４：第２のレンズの像側の面の曲率半径
である。
【０００９】
また、上述したような目的を達成する本発明に係る撮像装置は、物体側から順に、物体側に凸面を向けた正の屈折力を有するメニスカス形状の第１のレンズと、開口絞りと、像側に凸面を向けた負の屈折力を有するメニスカス形状の第２のレンズと、正の屈折力を有する第３のレンズとを有する撮像レンズと、撮像レンズにより形成された光学像を電気的な信号に変換する撮像素子とを備え、第１乃至第３のレンズは、レンズ面が非球面に形成され、以下の条件式（４）〜（６）を満足することを特徴とする。
１．２＜Ｔ／ｆ＜１．７  ・・・（４）
０．９×Ｔｓ２＜｜Ｒ３｜＜１．２×Ｔｓ２  ・・・（５）
０．６５×（Ｔｓ２＋Ｔ２）＜｜Ｒ４｜＜１．１×（Ｔｓ２＋Ｔ２）  ・・・（６）
ただし、
ｆ：レンズ系全体の焦点距離、
Ｔ：第１のレンズの物体側頂点から像面までの距離、
Ｔｓ２：開口絞りから第２のレンズの入射側軸上頂点までの距離、
Ｔ２：第２のレンズの軸上厚み、
Ｒ３：第２のレンズの入射側の面の曲率半径、
Ｒ４：第２のレンズの像側の面の曲率半径
である。
【発明の効果】
【００１０】
本発明の撮像レンズでは、環境温度の変化による焦点位置のズレを低減し、焦点位置のズレに伴う解像度の劣化を防止するとともに、小型化、低コスト化を達成することができる。また、本発明は、非点収差、歪曲収差、球面収差を良好に補正することができ、広角で結像性能の高い撮像レンズを提供できる。
【００１１】
また、本発明の撮像レンズは、プラスティックレンズを用いた場合においても、環境温度の変化による焦点位置のズレを防止できるので、プラスティックレンズを用いることによる高生産性を可能とする。
【００１２】
本発明の撮像装置は、簡単な構成で、環境温度の変化による焦点位置のズレを低減し、焦点位置のズレに伴う解像度の劣化を防止できるので、品質を向上させるとともに、コンパクト化、薄型化及び低コスト化を実現できる。
【発明を実施するための最良の形態】
【００１３】
以下、本発明が適用された撮像装置について説明する。
【００１４】
本発明が適用された撮像装置は、例えば、携帯型の無線電話装置やＰＤＡ等の内部に備えられる。この撮像装置は、撮像レンズと、この撮像レンズにより形成された光学像を電気的な信号に変換する撮像素子とを備えている。
【００１５】
撮像素子は、例えば、対角線の長さが１／６インチ程度の略方形状の受光面を有するＣＣＤやＣＭＯＳ等の光電変換素子であり、受光面に略格子状に画素が配設され、それぞれの画素ごとの受光量に基づく電気信号を出力する。この撮像素子は、例えば、縦横に３５２×２８８個の画素が配設されたＣＩＦ（Ｃｏｍｍｏｎ  Ｉｎｔｅｒｍｅｄｉａｔｅ  Ｆｏｒｍａｔ）規格や、６４０×４８０個の画素が配設されたＶＧＡ（Ｖｉｄｅｏ  Ｇｒａｐｈｉｃｓ  Ａｒｒａｙ）規格に対応する解像度とされている。
【００１６】
撮像素子は、対向する撮像レンズの光軸方向の適切な位置に受光面が合うように調整されている。そして、撮像素子は、撮像レンズが集光する光を受光することで、物体像を撮像する。撮像素子は、各画素の受光量に基づく電気信号を制御回路に出力する。尚、制御回路に出力された電気信号は、この制御回路内においてデジタル信号に変換され、画像データとして各種記憶媒体に記録される。
【００１７】
以上のように構成された撮像装置は、撮像レンズにより物体像を撮像素子の受光面に結像することで、物体を撮像する。
【００１８】
次に、本発明の撮像レンズの実施の形態について説明する。尚、本実施の形態において、使用する記号は下記の通りである。
Ｒ１：第１のレンズＬ１の入射側の面の曲率半径（但し、物体側軸上に頂点を持つ場合を正の符号とする。Ｒ２以下はこの符号と同様とする。単位［ｍｍ］）
Ｒ２：第１のレンズＬ１の像側の面の曲率半径
Ｒ３：第２のレンズＬ２の入射側の面の曲率半径
Ｒ４：第２のレンズＬ２の像側の面の曲率半径
Ｒ５：第３のレンズＬ３の入射側の面の曲率半径
Ｒ６：第３のレンズＬ３の像側の面の曲率半径
Ｔ：第１のレンズＬ１の物体側頂点から像面までの距離
Ｔｓ２：開口絞りＳから第２のレンズＬ２の入射側軸上頂点までの距離
Ｔ２：第２のレンズＬ２の軸上厚み
ｆ：レンズ系全体の焦点距離
ｆ１：第１のレンズＬ１の焦点距離
ｆ２：第２のレンズＬ２の焦点距離
ｆ３：第３のレンズＬ３の焦点距離
νｄ２：第２のレンズＬ２のアッべ数 
νｄ３：第３のレンズＬ３のアッべ数
本実施の形態の撮像レンズは、例えば、図１に示すように、物体側から順に、物体側に凸面を向けた正の屈折力を有するメニスカス形状の非球面ガラスの第１のレンズＬ１と、開口絞りＳと、像側に凸面を向けた負の屈折力を有するメニスカス形状の第２のレンズＬ２と、正の屈折力を有する第３のレンズＬ３とが順に配列して構成される３群３枚構成とされている。
【００１９】
第３のレンズＬ３の像側には、撮像光学系として用いる場合に、撮像レンズと固体撮像素子との間に挿入される赤外カットフィルター、ローパスフィルター、カバーガラス等の平行平面板Ｐと、固体撮像素子の撮像面Ｉとが設けられる。
【００２０】
このとき、以下の条件式（７）〜（９）を満たすようにされている。
１．２＜Ｔ／ｆ＜１．７  ・・・（７）
０．９×Ｔｓ２＜｜Ｒ３｜＜１．２×Ｔｓ２  ・・・（８）
０．６５×（Ｔｓ２＋Ｔ２）＜｜Ｒ４｜＜１．１×（Ｔｓ２＋Ｔ２）  ・・・（９）
第１のレンズＬ１と第２のレンズＬ２は、開口絞りＳを挟んで凹面を相対向させて配置されており、また、開口絞りＳを挟んで略対称なメニスカス形状に形成されており、十分なバックフォーカスと良好な結像性能を得ることができるとともに、収差を良好に補正することができる。
【００２１】
また、条件式（８）、（９）に示すように、第２のレンズＬ２の物体側及び像側の曲率半径と開口絞りＳまでの距離が略等しいので、収差を抑えるよう作用する。
【００２２】
第３のレンズＬ３は、正の屈折力を有するので、像高を下げるように作用するとともに、ＣＣＤ又はＣＭＯＳ等のイメージセンサー（撮像素子）への入射角を小さくするように作用する。
【００２３】
また、負の屈折力を有する第２のレンズＬ２の焦点距離ｆ２と、正の屈折力を有する第３のレンズＬ３の焦点距離ｆ３とは、その絶対値が略等しくされている。例えば、第２のレンズＬ２の焦点距離ｆ２は、約−８．１ｍｍとされており、第３のレンズＬ３の焦点距離ｆ３は、約６．５ｍｍとされているので、それぞれのレンズの温度特性による焦点距離の変化をキャンセルするように作用する、すなわち、環境温度変化による全系の焦点距離にズレを生じさせない。
【００２４】
第１乃至第３のレンズＬ１、Ｌ２、Ｌ３は、全体として、正・負・正の構成及び条件式（７）〜（９）を満たすことにより、球面収差、色収差、非点収差、歪曲収差を良好に補正することができる。また、第３のレンズＬ３が正の屈折力を有するので、像高を下げることができ、撮像素子への入射角を小さくすることができるとともに、全系の距離を短くすることができる。
【００２５】
また、第１のレンズＬ１は、ガラスにより形成されており、温度依存性を持たないので、環境温度変化により、影響を受けにくい。
【００２６】
第２のレンズＬ２と第３のレンズＬ３とは、プラスティックレンズで構成することが可能である。プラスティックレンズは、環境温度の変化に対する形状、屈折率の変化がガラス材料に比較して大きいため、これらの環境変化による全系の性能変化を小さくするために、各レンズのパワー（屈折力）成分を適切に配分し、あるいは、複数のプラスティックレンズにより互いの変化を相殺するような補正効果を持たせることが望ましい。第２のレンズＬ２と第３のレンズＬ３とをプラスティックレンズとする場合、環境変化による性能の変化を抑え、諸収差を良好に補正するため、以下の条件式（１０）、（１１）を満たすことが望ましい。
２５＜νｄ２＜３５  ・・・（１０）
４５＜νｄ３  ・・・（１１）
条件式（１０）、（１１）を満たすことにより、第２のレンズＬ２及び第３のレンズＬ３をプラスティックレンズとした場合において、環境温度変化による特性をうち消すことができるので、環境温度変化による焦点位置ズレ等の発生を防止でき、解像度の劣化を防止することができる。第２のレンズＬ２及び第３のレンズＬ３にプラスティックレンズを用いた場合の環境温度変化による焦点位置ズレの発生を防止できるので、高品質を保ちながら生産性を向上させることが可能となる。
【００２７】
さらに、以下の条件式（１２）〜（１４）を満たすことが望ましい。
０．８＜ｆ１／ｆ＜１．２  ・・・（１２）
１．２＜｜ｆ２／ｆ｜＜１．７  ・・・（１３）
０．６＜ｆ３／ｆ＜１．６  ・・・（１４）
条件式（１２）は、第１のレンズＬ１の焦点距離と全系の焦点距離との比を規定する。条件式（１２）の上限を越えて第１のレンズＬ１の正のパワー（屈折力）が小さくなると、全系のパワー（屈折力）を保つために第３のレンズＬ３の正のパワー（屈折力）を大きくせざるを得ず、非点隔差が大きくなると共に、バックフォーカスを十分に確保することが困難となる。上限式（１２）の下限を下回って第１のレンズＬ１の正のパワー（屈折力）が大きくなると、像面湾曲の補正が困難となり、環境変化に対する性能変化が大きくなる。
【００２８】
条件式（１３）は、第２のレンズＬ２の焦点距離と全系の焦点距離との比を規定する。
条件式（１３）の上限を越えて第２のレンズＬ２の負のパワー（屈折力）が小さくなると、収差補正量が足りなくなり、各収差量が大きくなってしまう。条件式（１３）の下限を下回って第２のレンズＬ２の負のパワー（屈折力）が大きくなると、全系のパワー（屈折力）を保つために第３のレンズＬ３の正のパワー（屈折力）を大きくせざるを得ず、非点隔差が大きくなると共に、バックフォーカスを十分に確保することが困難となる。
【００２９】
条件式（１４）は、第３のレンズＬ３の焦点距離と全系の焦点距離との比を規定する。条件式（１４）の上限を越えて第３のレンズＬ３の正のパワー（屈折力）が小さくなると、像高が大きくなるとともに、撮像素子への入射角が大きくなってしまう。条件式（１４）の下限を下回って第３のレンズＬ３の正のパワー（屈折力）が大きくなると、非点隔差が大きくなると共に、バックフォーカスを十分に確保することが困難となる。
【００３０】
この条件式（１２）〜（１４）を満たすことにより、球面収差、色収差、非点収差、歪曲収差等の諸収差を良好に補正することができる。
【００３１】
さらに、以下の条件式（１５）〜（２０）を満たすことが好ましい。
Ｒ１＞１．０  ・・・（１５）
Ｒ２＞１．５  ・・・（１６）
Ｒ３＜−０．３  ・・・（１７）
Ｒ４＜−０．５  ・・・（１８）
Ｒ５＞３．０  ・・・（１９）
Ｒ６＜−５．０  ・・・（２０）
条件式（１５）〜（２０）を満たすことにより、第２及び第３のレンズの焦点距離ｆ２，ｆ３の絶対値が略等しくなり環境温度変化による性能の変化を抑えることができるとともに、像面湾曲の補正、結像性能が良好となり、コマ収差、歪曲収差の補正も良好となる。
【００３２】
以上のように構成された本実施の形態の撮像レンズは、全系の距離を短縮し広角な撮像レンズを実現でき、球面収差、色収差、非点収差、歪曲収差等の各収差を良好に補正することが可能となる。さらに、本実施の形態の撮像レンズは、プラスティックレンズを使っても環境温度が変化しても焦点位置ずれが起こらず、解像度の劣化を防止することができ、３群３枚のうち、量産性に優れたプラスティックレンズを２枚使うことにより、高生産性、低コストを実現できる。この撮像レンズでは、具体的には、第２のレンズＬ２の焦点距離ｆ２は、約−８．１ｍｍとされており、第３のレンズＬ３の焦点距離ｆ３は、約６．５ｍｍとされているので、環境温度が３０℃変化したときに、焦点距離変化を３０μｍ以下に抑えることができる。
【実施例】
【００３３】
以下に、本発明を適用した撮像レンズの構成を、数値データ、収差図を挙げて、更に具体的に説明する。
【００３４】
図１は、実施例１のレンズ構成を示すレンズ図であり、具体的な数値構成は以下に示すとおりのものとする。
【００３５】
また、図２は、実施例２のレンズ構成を示すレンズ図であり、具体的な数値構成は以下に示すとおりのものとする。実施例２のレンズ構成は、具体的な数値構成を除き、実施例１のレンズ構成と同様であり、共通の符号を付して詳細な説明は省略する。
【００３６】
各数値データにおいて、ｆは焦点距離（単位：ｍｍ）を示し、ＦｎｏはＦナンバーを示し、ωは半画角（単位：ｄｅｇｒｅｅ）を示し、Ｔはレンズ全長（単位：ｍｍ）を示し、Ｔｓ２は開口絞りＳから第２のレンズＬ２の入射側軸上頂点までの距離（単位：ｍｍ）を示すものである。
【００３７】
各実施例の数値データにおいて、Ｒｉ（ｉ＝１，２，・・・）は、物体側から数えてｉ番目の面の曲率半径（ｍｍ）、ｄｉ（ｉ＝１，２，・・・）は、物体側から数えてｉ番目の軸上面間隔（ｍｍ）を示しており、ｎｉ（ｉ＝１，２，・・・）は、物体側から数えてｉ番目の光学要素のｄ線（５８８ｎｍ）に対する屈折率、νｄｉ（ｉ＝１，２，・・・）は、物体側から数えてｉ番目のレンズのｄ線に対するアッベ数を示している。
【００３８】
また、第１〜第３のレンズの第１面〜第６面は、非球面で構成されている。この非球面の形状は次式で表される形状である。但し、光軸からの高さがｙとなる非球面上の座標点の非球面頂点の接平面からの距離をｘとし、非球面頂点の曲率（１／Ｒ）をｃとする。また、Ｋは円錐係数を表し、Ａ，Ｂ，Ｃ及びＤは、それぞれ、４次、６次、８次及び１０次の非球面係数を表すものである。
【００３９】
【数１】
2005352317.tif 000003
【００４０】
図３、図４は、実施例１、２の諸収差（左から順に、球面収差及び色収差、非点収差、歪曲収差）を示すものである。球面収差及び色収差では、破線（ｄ）が５８７．５６ｎｍ（ｄ線）での球面収差による色収差、実線（ｅ）が５４６．０７ｎｍ（ｅ線）での球面収差による色収差、一点鎖線（Ｆ）が４８６．１３ｎｍ（Ｆ線）での球面収差による色収差を示すものである。非点収差では、実線（Ｓ）がサジタルの像面、破線（Ｍ）がメリジオナルの像面を表すものである。歪曲収差では、横軸は歪曲％で表わすものである。
【００４１】
実施例１，２の撮像レンズは、図３、図４の各収差図に示すように、各収差ともバランス良く補正されている。
【００４２】
《実施例１構成データ》
Ｒ１=  2.068    ｄ１= 1.152    ｎ１= 1.58   νｄ１= 59.3
Ｒ２=  4.240    ｄ２= 1.486
Ｒ３= -0.862    ｄ３= 0.711    ｎ２= 1.58   νｄ２= 29.0
Ｒ４= -1.300    ｄ４= 0.100
Ｒ５=  4.561    ｄ５= 1.550    ｎ３= 1.53   νｄ３= 55.8
Ｒ６= -14.355        
【００４３】
《実施例１非球面データ》
第１面: K= -0.475 , A= 0.913×10−２ , B= 0.164×10−２ , C= -0.519×10−４ ,   D= 0.484×10−４
第２面: K= -2.846 , A= 0.707×10−２ , B= -0.820×10−２, C= 0.314×10−２  ,   D= -0.471×10−３
第３面: K= -0.206 , A= 0.613×10−１ , B= 0.314×10−１ , C= 0.389×10−１  ,   D= 0.697×10−１
第４面: K= -0.315 , A= -0.130×10−１, B= 0.926×10−２ , C= 0.223×10−２  ,   D= 0.217×10−２
第５面: K= -33.90 , A= -0.293×10−２, B= 0.0        , C= 0.0         , D= 0.0
第６面: K=  23.85 , A= -0.102×10−１, B= 0.0        , C= 0.0         , D= 0.0
【００４４】
《実施例１構成データ》
f（焦点距離） = 5.6
Fno（開口数） = 4.0
ω（半画角）= 31.8
Ｔ（レンズ全長）= 7.88
Ｔｓ２= 0.81
【００４５】
《実施例２構成データ》
Ｒ１=  2.360    ｄ１= 1.018    ｎ１= 1.58    νｄ１= 59.3
Ｒ２=  5.119    ｄ２= 1.7857
Ｒ３= -0.890    ｄ３= 0.650    ｎ２= 1.58    νｄ２= 29.0
Ｒ４= -1.425    ｄ４= 0.080
Ｒ５=  3.129    ｄ５= 1.550    ｎ３= 1.53    νｄ３= 55.8
Ｒ６= -14.479        
【００４６】
《実施例２非球面データ》
第１面: K= -1.148  , A= 0.137×10−１  , B= 0.190×10−２ , C= -0.223×10−３ , D= 0.8356×10−４ 
第２面: K= -0.0176 , A= 0.536×10−２  , B= -0.316×10−２, C= 0.743×10−３  , D= -0.778×10−４
第３面: K= -1.071  , A= 0.228×10−１  , B= -0.147×10０ , C= 0.760×10−１  ,  D= 0.239×10−４ 
第４面: K= -0.637  , A= -0.228×10−１ , B= 0.447×10−２ , C= -0.754×10−２ , D= 0.496×10−２ 
第５面: K= -19.45  , A= -0.513×10−２ , B= 0.131×10−３ , C= 0.0      , D= 0.0
第６面: K=  23.95  , A= -0.710×10−２ , B= -0.273×10−３, C= 0.0      , D= 0.0
【００４７】
《実施例２構成データ》
f（焦点距離） = 5.6
Fno（開口数） = 2.9
ω（半画角）= 31.6
Ｔ（レンズ全長）= 7.99
Ｔｓ２= 0.84
【産業上の利用可能性】
【００４８】
本発明を適用した撮像レンズは、ＰＤＡや携帯電話等に内蔵又は外付けされるカメラに用いられるのみならず、デジタルスチルカメラ、ビデオカメラ、パソコン等に内蔵又は外付けされるカメラに用いることができる。
【図面の簡単な説明】
【００４９】
【図１】本発明を適用した撮像レンズの第１の実施の形態のレンズ構成図である。
【図２】本発明を適用した撮像レンズの第２の実施の形態のレンズ構成図である。
【図３】本発明を適用した撮像レンズの実施例１の諸収差図である。
【図４】本発明を適用した撮像レンズの実施例２の諸収差図である。
【符号の説明】
【００５０】
Ｌ１  第１のレンズ、Ｌ２  第２のレンズ、Ｌ３  第３のレンズ、Ｓ  開口絞り
【図１】
2005352317.tif 000004
【図２】
2005352317.tif 000005
【図３】
2005352317.tif 000006
【図４】
2005352317.tif 000007